(57)【要約】【課題】端子カバーを外したり、端子に設定器を接続する手間を省き、セキュリティを確保しつつ、簡単な操作でガスメータ内のメモリエリアの書換を行える書換装置を提供する。【解決手段】リードスイッチ２４が、収容ボックス２９内に収容された状態で、その収容ボックス２９外から、マグネットを用いた操作が行われたことに応じてオン又はオフする。ＣＰＵ２３ａが、リードスイッチ２４のオン又はオフに応じて、ガスメータ１０のメモリエリアの内容を、収容ボックス１９の外面に設けられたタクトスイッチ２５によって入力された書換内容に書き換えるための書換動作を行う。【選択図】      図４
2004219209.tif 000002
【特許請求の範囲】
【請求項１】
ガスメータ内に設けられたメモリエリアの内容を書き換えるための書換装置であって、
収容ボックスと、
該収容ボックス内に収容された状態で、当該収容ボックス外から、特殊器具を用いた操作が行われたことに応じてオン又はオフする特殊スイッチと、
前記収容ボックスの外面に設けられ、前記メモリエリアに対する書換内容を入力するための入力手段と、
前記特殊スイッチのオン又はオフに応じて、前記メモリエリアの内容を、前記入力手段によって入力された書換内容に書き換えるための書換動作を行う書換手段と
を備えたことを特徴とする書換装置。
【請求項２】
請求項１記載の書換装置であって、
前記メモリエリアには、プリペイドの残量情報が格納され、
前記書換手段は、前記プリペイドの残量情報を書き換えるための書換動作を行う
ことを特徴とする書換装置。
【請求項３】
ガスメータ内に設けられたメモリエリアの内容を書き換えるための書換装置であって、
収容ボックスと、
該収容ボックス内に収容された状態で、当該収容ボックス外から、特殊器具を用いた操作が行われたことに応じてオン又はオフする特殊スイッチと、
前記特殊スイッチのオン又はオフに応じて、前記メモリエリアの内容を、他のメモリエリアの内容に書き換えるための書換動作を行う書換手段と
を備えたことを特徴とする書換装置。
【請求項４】
請求項３記載の書換装置であって、
前記メモリエリアは、前回までのガス使用量を記憶する現在使用量メモリエリアであり、前記他のメモリエリアは、現在のガス使用量を格納する現在使用量メモリエリアであり、
前記書換手段は、前記使用量メモリエリアの内容を、現在使用量メモリエリアの内容に書き換えるための書換動作を行う
ことを特徴とする書換装置。
【請求項５】
ガスメータ内に設けられたメモリエリアの内容を書き換えるための書換装置であって、
収容ボックスと、
該収容ボックス内に収容された状態で、当該収容ボックス外から、特殊器具を用いた操作が行われたことに応じてオン又はオフする特殊スイッチと、
前記収容ボックスの外面に設けられ、書き換えを行いたいメモリエリアを入力するための入力手段と、
前記特殊スイッチのオン又はオフに応じて、前記入力手段によって入力されたメモリエリアを書き換えるための書換動作を行う書換手段と
を備えたことを特徴とする書換装置。
【請求項６】
請求項１〜５何れか１項記載の書換装置であって、
前記特殊器具は、マグネットであり、
前記特殊スイッチとは、リードスイッチである
ことを特徴とする書換装置。
【請求項７】
請求項１〜６何れか１項記載の書換装置であって、
前記ガスメータとは別体に設けられ、かつ、メータ側端子を介しての書換信号の受信に応じて、メモリエリアを書き換える前記ガスメータと接続され、
前記書換手段は、前記メータ側端子と接続される書換装置側端子を介して、メモリエリアの書換を要求する書換信号を送信する送信手段を
備えることを特徴とする書換装置。
【請求項８】
請求項７記載の書換装置であって、
前記ガスメータ内のメータ側端子を覆う取り外し可能なカバーと一体に設けられている
ことを特徴とする書換装置。
【請求項９】
請求項８記載の書換装置であって、
前記メータ側端子と対向する面に、前記書換装置側端子としての接続ピンが突起している
ことを特徴とする書換装置。
【請求項１０】
請求項７記載の書換装置であって、
前記ガスメータ内の前記メータ側端子を覆う取り外し可能なカバーのネジ孔と共締めできるネジ孔を備える
ことを特徴とする書換装置。
【請求項１１】
ガスメータ内に設けられたメモリエリアの内容を書き換えるための書換方法であって、
前記収容ボックス内に収容された特殊スイッチが、当該収容ボックス外から、特殊器具を用いた操作が行われたことに応じてオン又はオフしたことに応じて、前記メモリエリアの内容を入力手段によって入力された書換内容に書き換える
ことを特徴とする書換方法。
【発明の詳細な説明】
【０００１】
【発明の属する技術分野】
この発明は、書換装置に係わり、特に、ガスメータ内に設けられたメモリエリアの内容を書き換えるための書換装置に関する。
【０００２】
【従来の技術】
ガスメータ内部には、例えば、プリペイドの残量をカウントするカウンタや、先月までのガス使用量を格納するメモリなど、ガス会社によって書き換えが行われるメモリエリアを備えている。従来、上記メモリエリアの書き換えは、ガスメータとの通信可能な管理センタから、メモリエリアの書き換えを要求する書換信号を送信することにより行っている。また、管理センタを持たない小さいガス会社では、ガス会社以外の人物による書き換えを防止するセキュリティ上の事情から以下のような手順で行われている。
【０００３】
まず、ガス会社から派遣された作業員は、特殊工具を使ってガスメータの収容ボックスに設けられた端子カバーをはずすことにより、収容ボックス内に収容されている端子を露出させる。次に、露出した端子に、設定器を接続し、設定器を使ってガスメータ内のメモリエリアの書き換えを行う。
【０００４】
【発明が解決しようとする課題】
しかしながら、上述した従来の書換方法では、管理センタを持たない小さなガス会社では、端子カバーを外したり、端子に設定器を接続しなければならず、書換作業が煩雑となり手間がかかるという問題があった。
【０００５】
そこで、本発明は、上記のような問題点に着目し、端子カバーを外したり、端子に設定器を接続する手間を省き、セキュリティを確保しつつ、簡単な操作でガスメータ内のメモリエリアの書換を行える書換装置を提供することを課題とする。
【０００６】
【課題を解決するための手段】
上記課題を解決するためになされた請求項１記載の発明は、ガスメータ内に設けられたメモリエリアの内容を書き換えるための書換装置であって、収容ボックスと、該収容ボックス内に収容された状態で、当該収容ボックス外から、特殊器具を用いた操作が行われたことに応じてオン又はオフする特殊スイッチと、前記収容ボックスの外面に設けられ、前記メモリエリアに対する書換内容を入力するための入力手段と、前記特殊スイッチのオン又はオフに応じて、前記メモリエリアの内容を、前記入力手段によって入力された書換内容に書き換えるための書換動作を行う書換手段とを備えたことを特徴とする書換装置に存する。
【０００７】
請求項１記載の発明によれば、特殊スイッチが、収容ボックス内に収容された状態で、その収容ボックス外から、特殊器具を用いた操作が行われたことに応じてオン又はオフする。書換手段が、特殊スイッチのオン又はオフに応じて、ガスメータのメモリエリアの内容を、収容ボックスの外面に設けられた入力手段によって入力された書換内容に書き換えるための書換動作を行う。
【０００８】
従って、この書換装置をガスメータに組み込んだり、ガスメータと接続した状態でガスメータ付近に配置すれば、ガスメータのメモリエリア書き換えの際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手にメモリエリアの内容が書き換えられることがない。
【０００９】
請求項２記載の発明は、請求項１記載の書換装置であって、前記メモリエリアには、プリペイドの残量情報が格納され、前記書換手段は、前記プリペイドの残量情報を書き換えるための書換動作を行うことを特徴とする書換装置に存する。
【００１０】
請求項２記載の発明によれば、書換手段が、プリペイドの残量情報を書き換えるための書換動作を行う。従って、ガスメータのプリペイドの残量情報を書き換える際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手にプリペイドの残量情報が書き換えられることがない。
【００１１】
請求項３記載の発明は、ガスメータ内に設けられたメモリエリアの内容を書き換えるための書換装置であって、収容ボックスと、該収容ボックス内に収容された状態で、当該収容ボックス外から、特殊器具を用いた操作が行われたことに応じてオン又はオフする特殊スイッチと、前記特殊スイッチのオン又はオフに応じて、前記メモリエリアの内容を、他のメモリエリアの内容に書き換えるための書換動作を行う書換手段とを備えたことを特徴とする書換装置に存する。
【００１２】
請求項３記載の発明によれば、特殊スイッチが、収容ボックス内に収容された状態で、その収容ボックス外から、特殊器具を用いた操作が行われたことに応じてオン又はオフする。書換手段が、特殊スイッチのオン又はオフに応じて、メモリエリアの内容を、他のメモリエリアの内容に書き換えるための書換動作を行う。
【００１３】
従って、この書換装置をガスメータに内蔵したり、ガスメータと接続した状態でガスメータ付近に配置すれば、ガスメータのメモリエリア書換の際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手にメモリエリアの内容が書き換えられることがない。
【００１４】
請求項４記載の発明は、請求項３記載の書換装置であって、前記メモリエリアは、前回までのガス使用量を記憶する現在使用量メモリエリアであり、前記他のメモリエリアは、現在のガス使用量を格納する現在使用量メモリエリアであり、前記書換手段は、前記使用量メモリエリアの内容を、現在使用量メモリエリアの内容に書き換えるための書換動作を行うことを特徴とする書換装置に存する。
【００１５】
請求項４記載の発明によれば、書換手段が、前回使用量メモリエリアの内容を、現在使用量メモリエリアの内容に書き換えるための書換動作を行う。従って、ガスメータの前回使用量メモリエリアの内容を、現在使用量メモリエリアの内容に書き換える際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手に前回使用量メモリエリアの内容が書き換えられることがない。
【００１６】
請求項５記載の発明は、ガスメータ内に設けられたメモリエリアの内容を書き換えるための書換装置であって、収容ボックスと、該収容ボックス内に収容された状態で、当該収容ボックス外から、特殊器具を用いた操作が行われたことに応じてオン又はオフする特殊スイッチと、前記収容ボックスの外面に設けられ、書き換えを行いたいメモリエリアを入力するための入力手段と、前記特殊スイッチのオン又はオフに応じて、前記入力手段によって入力されたメモリエリアを書き換えるための書換動作を行う書換手段とを備えたことを特徴とする書換装置に存する。
【００１７】
請求項５記載の発明によれば、特殊スイッチが、収容ボックス内に収容された状態で、その収容ボックス外から、特殊器具を用いた操作が行われたことに応じてオン又はオフする。書換手段が、特殊スイッチのオン又はオフに応じて、収容ボックスの外面に設けられた入力手段によって入力されたメモリエリアを書き換えるための書換動作を行う。
【００１８】
従って、この書換装置をガスメータに組み込んだり、ガスメータと接続した状態でガスメータ付近に配置すれば、ガスメータのメモリエリア書き換えの際に、端子カバーを外したり、端子に設定器を接続することなく、特殊器具の操作及び入力手段の操作を行うだけでよい。しかも、特殊スイッチをオン又はオフするには、特殊器具を用いる必要があるため、ガスメータ付近に常に配置してあっても、特殊器具を持っていないガス作業員以外の人物によって勝手にメモリエリアの内容が書き換えられることがない。
【００１９】
請求項６記載の発明は、請求項１〜５何れか１項記載の書換装置であって、前記特殊器具は、マグネットであり、前記特殊スイッチとは、リードスイッチであることを特徴とする書換装置に存する。
【００２０】
請求項６記載の発明によれば、特殊器具がマグネットであり、特殊スイッチがリードスイッチである。従って、マグネットの磁力により収納ボックスの外から特殊スイッチを簡単に、オン又はオフにすることができる。
【００２１】
請求項７記載の発明は、請求項１〜６何れか１項記載の書換装置であって、前記ガスメータとは別体に設けられ、かつ、メータ側端子を介しての書換信号の受信に応じて、メモリエリアを書き換える前記ガスメータと接続され、前記書換手段は、前記メータ側端子と接続される書換装置側端子を介して、メモリエリアの書換を要求する書換信号を送信する送信手段を備えることを特徴とする書換装置に存する。
【００２２】
請求項７記載の発明によれば、書換手段において、送信手段が、書換装置側端子を介して、ガスメータ内のメータ側端子に対して、書換信号を送信する。ガスメータ側では、この書換信号の受信に応じて、メモリエリアの書換を行う。
【００２３】
従って、ガスメータが本来持っている書換信号の受信に応じてメモリエリアを書き換えるという機能を流用して、ガスメータに外付けした書換装置によって、メモリエリアを書き換えることができる。このため、ガスメータ自身に書換装置を内蔵することなく、メモリエリアを書き換えることができる。
【００２４】
請求項８記載の発明は、請求項７記載の書換装置であって、前記ガスメータ内のメータ側端子を覆う取り外し可能なカバーと一体に設けられていることを特徴とする書換装置に存する。
【００２５】
請求項８記載の発明によれば、ガスメータ内のメータ側端子を覆う取り外し可能なカバーと一体に設けられている。従って、カバーと一体に設けることにより、書換装置をガスメータ付近に配置する際に、ガスメータ側面などにステーを介して固定したり、ガスメータ付近の壁に穴を開けて固定する必要がなく、カバーを取り付けるだけでよい。
【００２６】
請求項９記載の発明は、請求項８記載の書換装置であって、前記メータ側端子と対向する面に、前記書換装置側端子としての接続ピンが突起していることを特徴とする書換装置に存する。
【００２７】
請求項９記載の発明によれば、メータ側端子と対向する面に、書換装置側端子からの接続ピンが突起している。従って、カバーを取り付ける際に、接続ピンをメータ側端子に差し込むことにより、メータ側端子と書換装置側端子とを接続することができる。
【００２８】
請求項１０記載の発明は、請求項７記載の書換装置であって、前記ガスメータ内の前記メータ側端子を覆う取り外し可能なカバーのネジ孔と共締めできるネジ孔を備えることを特徴とする書換装置に存する。
【００２９】
請求項１０記載の発明によれば、ガスメータ内のメータ側端子を覆う取り外し可能なカバーのネジ孔と共締めできるネジ孔を備えている。従って、書換装置をガスメータ付近に配置する際に、ガスメータ側面などにステーを介して固定したり、ガスメータ付近の壁に穴を開けて固定する必要がなく、カバーと書換装置を共締めして、ガスメータに取り付けるだけでよい。
【００３０】
請求項１１記載の発明は、ガスメータ内に設けられたメモリエリアの内容を書き換えるための書換方法であって、前記収容ボックス内に収容された特殊スイッチが、当該収容ボックス外から、特殊器具を用いた操作が行われたことに応じてオン又はオフしたことに応じて、前記メモリエリアの内容を入力手段によって入力された書換内容に書き換えることを特徴とする書換方法に存する。
【００３１】
請求項１１記載の発明によれば、収容ボックス内に収容された特殊スイッチが、その収容ボックス外から、特殊器具を用いた操作が行われたことに応じてオン又はオフしたことに応じて、メモリエリアの内容を入力手段によって入力された書換内容に書き換える。
【００３２】
従って、この書換方法を適用した書換装置を、ガスメータに組み込んだり、ガスメータと接続した状態でガスメータ付近に配置すれば、ガスメータのメモリエリア書き換えの際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手にメモリエリアの内容が書き換えられることがない。
【００３３】
【発明の実施の形態】
以下、本発明の実施の形態を図面に基づいて説明する。図１は、ガスメータ、本発明の書換装置及び該書換装置が取り付けられたガスメータの一実施の形態を示す外観図である。同図（Ａ）に示すように、ガスメータ１０は、ガス燃焼器具に供給されるガスの通過流量を機械的にカウントして、その積算値を表示するカウント式表示器１１と、複数の端子台１２（メータ側端子に相当）とが設けられている。そして、書換装置２０が一体に設けられたカバー１３（同図（Ｂ）参照）が、この端子台１２を覆うように、ビス１４によってガスメータ１０に着脱可能に取り付けられている（同図（Ｃ）参照）。
【００３４】
上述した端子台１２は、図２に示すように、伝送コントローラ（以下、ＮＣＵ）に接続するための通信端子１２ａを備えている。上記ＮＣＵは、電話線と接続され、接続された電話線を介してガスメータ１０と、その管理センタとの通信を制御する装置である。
【００３５】
また、端子台１２には、ガスメータ１０内に設けられた遮断弁（図示せず）の開閉操作が行われる宅内操作器と接続するために設けられた遮断弁開閉端子１２ｂと、ガス漏れ警報器に接続するために設けられた警報器端子１２ｃと、他の外部警報機器と接続するために設けられた外部機器端子１２ｄ、１２ｅとを備えている。
【００３６】
上述したガスメータ１０は、ガス流量を計測する流量センサと、該流量センサの出力に基づき、料金体系（大容量・長時間・指定時間・通常・合計）毎にガス使用量の積算値をアップカウントするアップカウント部と、料金体系毎の現在までのガス使用量の積算値である現在積算値、先月までのガス使用量の積算値である先月積算値、先々月までのガス使用量である先々月積算値といった情報が各エリアに格納されている内部メモリ（何れも図示せず）を備えている。
【００３７】
また、上述したガスメータ１０は、上記流量センサの出力に基づき、ガス残量情報からガス使用量をダウンカウントするダウンカウント部と、上記ガス残量情報が格納されたカウンタ（何れも図示せず）をさらに備えている。
【００３８】
そして、上述したガスメータ１０は、ポストペイド式のガス料金の支払い方法法が採用されている場合は、上記アップカウント部が働くように設定され、プリペイド式のガス料金の支払いが採用されている場合は、上記ダウンカウント部が働くように設定されている。
【００３９】
また、上述したガスメータ１０は、上述したＮＣＵ及び端子台１２を介して、管理センタ側から電文を受信すると、電文の指示通りの動作を行う。具体的には、電文の内容が、検針を要求するものであれば、ガスメータ１０は、メモリエリアから料金体系毎の現在までのガス使用量の積算値及び先月までのガス使用量の積算値を読み出すと共に、読み出した積算値を端子台１２から外部に送信する。
【００４０】
その後、ガスメータ１０は、先々月使用量を、先月積算値に書き換え、先月積算値を、現在積算値に書き換える。
【００４１】
また、プリペイドによるガス料金の支払いを採用しているガス会社が上記ガスメータ１０を所有している場合であって、電文の内容が、上述したガス残量情報に、ガス消費者がプリペイドした分のガス使用量の加算を要求するものであれば、ガスメータ１０は、ガス残量情報が格納されるカウンタの内容を、上記ガス使用量を加算した値に書き換える。
【００４２】
次に、本発明の書換装置２０について、説明する。書換装置２０は、図１に示すように、端子台１２を覆うカバー１３と一体に設けられている。この書換装置２０は、図３に示すように、ガスメータ１０に設けられている通信端子１２ａと対向する基板から、上記通信端子１２ａに接続可能な接続ピン２１（書換装置側端子に相当）が突起している。このような構成にすることにより、カバー１３をガスメータ１０に取り付ける際に、接続ピン２１を通信端子１２ａに差し込むだけで、簡単に、通信端子１２ａと接続ピン２１とを接続することができる。
【００４３】
次に、上述した書換装置の内部構成について、図４を参照して、以下説明する。同図に示すように、書換装置２０は、上述した接続ピン２１、インターフェース２２を備えている。上記インターフェース２２には、上述したガスメータ１０が接続ピン２１を介して接続されている。
【００４４】
さらに、書換装置２０は、マイクロコンピュータ２３（以下、μＣＯＭ２３）、リードスイッチ２４（請求項中の特殊スイッチに相当）、タクトスイッチ２５（請求項中の入力手段に相当）、各種情報を表示する表示器２６及びμＣＯＭ２３に電池を供給する電池２７を備えている。
【００４５】
μＣＯＭ２３は、周知のように、予め定めたプログラムに従って各種の処理や制御などを行う中央処理ユニット２３ａ（以下、ＣＰＵ２３ａ）、ＣＰＵ２３ａのためのプログラム等を格納した読み出し専用メモリであるＲＯＭ２３ｂ、各種のデータを格納すると共にＣＰＵ２３ａの処理作業に必要なエリアを有する読み出し書き込み自在のメモリであるＲＡＭ２３ｃ等を内蔵している。上記ＲＯＭ２４ｂ内には、上述したガスメータ１０が、管理センタとの通信で用いるのと同じ電文が格納されている。
【００４６】
また、上述したインターフェース２２、μＣＯＭ２３、リードスイッチ２４及び電池２７は、収容ボックス２９内に収容され、外には露出していない。一方、タクトスイッチ２５及び表示器２６は、収容ボックス２９外面に設けられ、図１（ｃ）に示すように、外部に露出している。
【００４７】
上記リードスイッチ２４は、収納ボックス２９内部の、図１に示すマグネット当接部１５の裏側に、収容されている。従って、リードスイッチ２４は、収容ボックス２９に収容された状態で、収容ボックス２９の外から、マグネット（請求項中の特殊器具）をマグネット当接部１５に近づけるとオンするスイッチである。また、タクトスイッチ２５は、収容ボックス２９外面に設けられているため、マグネットなどの特殊器具を用いるこなく、手で簡単にオンオフできるスイッチである。
【００４８】
上述した構成の書換装置の動作について、以下説明する。まず、ガス作業員は、タクトスイッチ２５のオンオフ操作を行って、書き換えたいメモリエリアを入力する。次に、マグネット（請求項中の特殊器具に相当）を書換装置２０に近づけ、リードスイッチ２４をオンさせる。
【００４９】
リードスイッチ２４がオンすると、書換装置２０は、書換手段として働き、このときのタクトスイッチ２５のオンオフ状態に応じたメモリエリアを書き換えるための書換動作を行う。より詳しくは、この書換動作において、書換装置２０は、送信手段として働き、ガスメータ１０に対して、タクトスイッチ２５のオンオフ状態に応じたメモリエリアの書き換えを要求する電文（請求項中の書換信号に相当）を送信する。ガスメータ１０は、書換装置２０から受信した電文に応じてメモリエリアの内容を書き換える。
【００５０】
このように、書換装置２０にリードスイッチ２４のオンに応じて上記電文を送信する機能を持たせることにより、リードスイッチ２４の状態を検出して、ガスメータ１０自身にメモリエリアを書き換えるための機能を持たすことなく、書換装置２０を使っていつでも、ガスメータ１０のメモリエリアの書き換えを行うことができる。
【００５１】
具体的には、上記タクトスイッチ２５のオンオフ状態が、「プリペイドのガス残量」の書き換えを要求する操作であれば、ＣＰＵ２３ａは、タクトスイッチ２５によって、「プリペイドのガス残量」に加算する値の入力が可能な状態にする。このとき、ガス作業員が、タクトスイッチ２５を操作すると、ＣＰＵ２３ａは、タクトスイッチ２５の操作に応じた値を、表示器２６に表示する。
【００５２】
次に、ガス作業員が、表示器２６に加算したい設定値が表示されるまでタクトスイッチ２５を操作した後、再びマグネットを近づけてリードスイッチ２４をオンすると、ＣＰＵ２３ａは、ガスメータ１０に対して、プリペイドのガス残量を、上記設定値を加算した値に書き換えることを要求する電文を送信する。ガスメータ１０では、上記電文を受信すると、プリペイドのガス残量を、上記設定値を加算した値に書き換える。
【００５３】
その後、ガスメータ１０は、書換成功の旨を示す電文、又は、書換失敗の旨を示す電文を書換装置２０に送信する。書換装置２０は、書換成功の旨を示す電文の受信に応じて、表示器２６に「成功」と表示し、書換失敗の旨を示す電文の受信に応じて、表示器２６に「失敗」と表示する。
【００５４】
また、上記タクトスイッチ２５のオンオフ状態が、「検針」を要求する操作であれば、ＣＰＵ２３ａは、検針を要求する電文が送信される。ガスメータ１０では、上記検針要求の電文を受信すると、上述したように、メモリエリアから料金体系毎の現在までのガス使用量の積算値及び先月までのガス使用量の積算値を読み出すと共に、読み出した積算値を接続ピン２１を介して書換装置に対して送信する。
【００５５】
この積算値の受信に応じて、書換装置２０内のＣＰＵ２３ａは、表示器２６に、受信した積算値をそのまま表示させたり、又は、受信した積算値及び料金体系毎のガスの単価情報から求めたガス料金を表示させる。
【００５６】
上記積算値の送信後、ガスメータ１０は、先々月使用量を、先月積算値に書き換え、先月積算値を、現在積算値に書き換える。
【００５７】
その後、ガスメータ１０は、書換成功の旨を示す電文、又は、書換失敗の旨を示す電文を書換装置２０に送信する。書換装置２０は、書換成功の旨を示す電文の受信に応じて、表示器２６に「成功」と表示し、書換失敗の旨を示す電文の受信に応じて、表示器２６に「失敗」と表示する。
【００５８】
上述した書換装置によれば、ガスメータ１０のメモリエリア書き換えの際に、端子カバーを外したり、端子に設定器を接続することなく、マグネットの操作及びタクトスイッチ２５の操作を行うだけよい。しかも、リードスイッチ２４をオンするには、マグネットを用いる必要があるため、ガスメータ１０付近に常に配置してあっても、マグネットを持っていないガス作業員以外の人物によって勝手にメモリエリアの内容が書き換えられることがない。このため、セキュリティを確保しつつ、簡単な操作で、ガスメータ１０内のメモリエリアの書換を行うことができる。
【００５９】
また、上述した書換装置によれば、ガスメータ１０が本来持っている書換を要求する電文の受信に応じてメモリエリアを書き換えるという機能を流用して、ガスメータ１０に外付けした書換装置２０によって、メモリエリアを書き換えることができる。このため、ガスメータ１０自身に書換装置２０を内蔵することなく、メモリエリアを書き換えることができるので、コストダウンを図ることができる。
【００６０】
なお、上述した実施形態では、表示装置２０をカバー１３と一体に設けていたが、例えば、図５（ａ）に示すように、カバー１３とは別体に設け、カバー１３のネジ孔と共締めできるネジ孔２７を設け、図５（ｂ）に示すように、ビス１４により、カバー１３と共締めしてガスメータ１０に取り付けることも考えられる。
【００６１】
また、図６に示すように、ガスメータ１０に取り付けたステー４０によって、表示装置２０を固定したり、また、ステー４０を使わず、ガスメータ１０付近の壁に穴を開けて、その壁に表示装置２０を固定することも考えられる。しかしながら、上述したようにカバー１３と一体に設けたり、カバー１３と共締めして、表示装置２０を固定設置することにより、ステー４０をガスメータ１０に取り付けたり、ステー４０を別に購入したりする必要がなく、表示装置２０の取り付け作業が簡単となり、さらにコストダウンを図ることができる。また、壁に穴をあける必要もなくなる。
【００６２】
また、上述した実施形態では、ガスメータ１０内の通信端子１２ａに、表示装置２０の接続ピン２１を接続していたが、例えば、図２に示す遮断弁開閉端子１２ｂに接続ピン２１を接続することも考えられる。
【００６３】
さらに、上述した実施形態では、書換装置２０をガスメータ１０とは別体に設けていたが、例えば、ガスメータ１０に上述した書換装置２０を内蔵することも考えられる。
【００６４】
【発明の効果】
以上説明したように、請求項１及び１１記載の発明によれば、ガスメータのメモリエリア書き換えの際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手にメモリエリアの内容が書き換えられることがないので、セキュリティを確保しつつ、簡単な操作で、ガスメータ内のメモリエリアの書換を行える書換装置及びその方法を得ることができる。
【００６５】
請求項２記載の発明によれば、ガスメータのプリペイドの残量情報を書き換える際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手にプリペイドの残量情報が書き換えられることがないので、セキュリティを確保しつつ、簡単な操作で、ガスメータ内のメモリエリアの書換を行える書換装置を得ることができる。
【００６６】
請求項３記載の発明によれば、ガスメータのメモリエリア書換の際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手にメモリエリアの内容が書き換えられることがないので、セキュリティを確保しつつ、簡単な操作でガスメータ内のメモリエリアの書換を行える書換装置を得ることができる。
【００６７】
請求項４記載の発明によれば、ガスメータの前回使用量メモリエリアの内容を、現在使用量メモリエリアの内容に書き換える際に、端子カバーを外したり、端子に設定器を接続することなく、特殊器具の操作及び入力手段の操作を行うだけよい。しかも、特殊スイッチをオン又はオフするには、特殊器具を用いる必要があるため、ガスメータ付近に常に配置してあっても、特殊器具を持っていないガス作業員以外の人物によって勝手に前回使用量メモリの内容が書き換えられることがないので、セキュリティを確保しつつ、簡単な操作でガスメータ内のメモリエリアの書換を行える書換装置を得ることができる。
【００６８】
請求項５記載の発明によれば、ガスメータのメモリエリア書き換えの際に、端子カバーを外したり、端子に設定器を接続することなく、特殊器具の操作及び入力手段の操作を行うだけでよい。しかも、特殊スイッチをオン又はオフするには、特殊器具を用いる必要があるため、ガスメータ付近に常に配置してあっても、特殊器具を持っていないガス作業員以外の人物によって勝手にメモリエリアの内容が書き換えられることがないので、セキュリティを確保しつつ、簡単な操作でガスメータ内のメモリエリアの書換を行える書換装置を得ることができる。
【００６９】
請求項６記載の発明によれば、マグネットの磁力により特殊スイッチを簡単に、オン又はオフにすることができる書換装置を得ることができる。
【００７０】
請求項７記載の発明によれば、ガスメータが本来持っている書換信号の受信に応じてメモリエリアを書き換えるという機能を流用して、ガスメータに外付けした書換装置によって、メモリエリアを書き換えることができる。このため、ガスメータ自身に書換装置を内蔵することなく、メモリエリアを書き換えることができるので、コストダウンを図った書換装置を得ることができる。
【００７１】
請求項８記載の発明によれば、カバーと一体に設けることにより、書換装置をガスメータ付近に配置する際に、ガスメータ側面などにステーを介して固定したり、ガスメータ付近の壁に穴を開けて固定する必要がなく、カバーを取り付けるだけでよいので、簡単な作業で、かつ、コスト的に安価に取付を行うことができる書換装置を得ることができる。
【００７２】
請求項９記載の発明によれば、カバーを取り付ける際に、接続ピンをメータ側端子に差し込むことにより、メータ側端子と書換装置側端子とを接続することができるので、より一層簡単な作業で、ガスメータとの接続を行うことができる書換装置を得ることができる。
【００７３】
請求項１０記載の発明によれば、書換装置をガスメータ付近に配置する際に、ガスメータ側面などにステーを介して固定したり、ガスメータ付近の壁に穴を開けて固定する必要がなく、カバーと書換装置を共締めして、ガスメータに取り付けるだけでよいので、簡単な作業で、かつ、コスト的に安価に取付を行うことができる書換装置を得ることができる。
【図面の簡単な説明】
【図１】ガスメータ、本発明の書換装置及び該書換装置が取り付けられたガスメータの一実施の形態を示す外観図である。
【図２】図１のガスメータ１０に設けられた端子台１２の詳細な図である。
【図３】書換装置２０が取り付けられたガスメータ１０の部分断面図である。
【図４】図１の書換装置の内部構成を示す図である。
【図５】書換装置及び書換装置が取り付けられたガスメータの他の実施形態を示す外観図である。
【図６】書換装置及び書換装置が取り付けられたガスメータの他の実施形態を示す外観図である。
【符号の説明】
１２    端子台（メータ側端子）
１３    カバー
２１    接続ピン（書換装置側端子）
２４    リードスイッチ（特殊スイッチ）
２５    タクトスイッチ（入力手段）
２９    収容ボックス
２３ａ  ＣＰＵ（書換手段、送信手段）
【図１】
2004219209.tif 000003
【図２】
2004219209.tif 000004
【図３】
2004219209.tif 000005
【図４】
2004219209.tif 000006
【図５】
2004219209.tif 000007
【図６】
2004219209.tif 000008